(57)【要約】      （修正有）【課題】一般家庭廃棄物の一時集積所であるゴミステーションに於ける防烏ネット外へのゴミ投棄防止と烏による食い散らしを防止すると共に簡易で廉価な機器具を提供する。【解決手段】棒状の山形鋼２ａを底辺としてその一辺の中心部に棒状の鉄パイプ２ｂを逆Ｔ字形に接合して形成した固定具２を別置既存の支柱（電柱など）にＵ形ボルト２ｃにて取り付け固定し、棒材を半ループの略Ｕ字形に形成したネット係止枠３を固定具の山形鋼端部に係止、更に棒材をループ状に形成しその端部に適宜長の棒材による嵌入棒４ａを側面視Ｌ形に接合形成した障害物垂下枠４はその嵌入棒を固定部の鉄パイプ２ｂに嵌め込み、ネット係止枠３を支持してゴミステーション防烏ネット係止具とする。ネット係止枠には防烏ネットに依るゴミ投入口を開けた囲いとし、障害物垂下枠４からは紐や針金などを括り付け垂下して障害物とし、烏の進入を防ぐ。【選択図】図２
0003140931.tif 000002
【実用新案登録請求の範囲】
【請求項１】
棒状山形鋼の両端部及び中間部に貫通孔を穿け、その中心に鉄パイプをＴ字形に接合形成した固定具と、棒材を半ループの略Ｕ字形で二股状と成し、その平行する二股部分の内側の適宜な位置にピン孔を穿けた丸棒材による突起を接合形成したネット係止枠と、棒材をループ状と成し、該端部に適宜長の棒材に依る嵌入棒を側面視Ｌ字形に接合形成した障害物垂下枠と、棒材の両端を鈎状に形成した枠吊棒とから成り、固定具は別置既存の支柱にＵ形ボルト、又は針金、紐などで締結固定し、ネット係止枠はその突起部分で固定具の山形鋼端部に係止する、障害物垂下枠はその嵌入棒を固定具の鉄パイプに嵌め込み、更に枠吊棒は該垂下枠から吊り下げ、ネット係止枠を支持して成る、ゴミステーション防烏ネット係止具。
【考案の詳細な説明】
【技術分野】
【０００１】
本考案は一般家庭廃棄物の一時集積所である通称ゴミステーションに於ける防烏ネットの係止と防烏に係わる。
【背景技術】
【０００２】
ネット使用のゴミステーションの殆どでは投棄されたゴミの集積山に防烏ネットを覆い被せているだけである。
【考案の開示】
【考案が解決しようとする課題】
【０００３】
例えばマナーの悪い利用者だとゴミ山を覆ったネットを剥がさず防烏ネット上、あるいは防烏ネット外にゴミを投棄する、此れが烏による或いは風によるゴミの散乱を誘因している。
【課題を解決するための手段】
【０００４】
棒状山形鋼を底辺としてその一辺の概ね中心部分に鉄パイプを直角に接合して逆Ｔ字形に形成した固定具は別置既存の支柱（例えば電柱など）にＵ形ボルト、又は針金、紐などで適宜な位置に締結固定する。次に棒材を半ループで略Ｕ字形の二股状に形成し、その二股部分が平行する内側の適宜な位置に棒状の突起を設けてネット係止枠と成し、該ネット係止枠はその突起部分で固定具を形成している山形鋼端部に係止する。また障害物垂下枠は棒材をループ状に形成、その一端に適宜な長さの棒材をループ状体の側面視で略Ｌ字形に接合して嵌入棒と成す。該嵌入棒は固定具を形成している鉄パイプに嵌め込み、更に障害物垂下枠からは両端を鈎状にした枠吊棒を吊り下げてネット係止枠を支持する。
然る後、ネット係止枠には防烏ネットを紐などで括り付けて垂らし、防烏ネットによる囲いと成す、該枠内は開口しているのでゴミの投入口となる、又障害物垂下枠には紐や針金を括り付けて垂下して障害物と成す。
【考案の効果】
【０００５】
前述の様に組立設置されたゴミステーション防烏ネット係止具は防烏ネットによる囲いとなり、上部は開口していて、そこからゴミの投入が出来るので防烏ネットを剥がす必要が無くゴミの防烏ネット外投棄は減少する。更に障害物垂下枠から自在に垂らした紐や針金などは烏が飛び立つときに障害となり、少なくともゴミが投入口迄溢れ出てない時は防烏ネット内に烏は入らない。以上の効によりゴミの散乱を防ぎ得る、又不要の時は枠吊り棒を外すことで障害物垂下枠は簡単に取り外せ、ネット係止枠は折り畳むことが出来る。
【考案を実施するための最良の形態】
【０００６】
固定具はそれを形成する山形鋼の一辺に中心より振り分けで複数の貫通孔を、更にその両端部に接合したリブ板に夫々貫通孔を穿け、該山形鋼の穿孔辺とは異なる辺の中心部分に鉄パイプを直角に接合して逆Ｔ字形に形成する。ネット係止枠は棒材を半ループで略Ｕ字形の二股状に形成し、その二股部分が平行する内側の適宜な位置に割りピンを通すピン孔を穿孔した丸棒材を接合して突起を形成、二股部分の端部は内側に折り曲げ、更に半ループ端部には凸状部分を設ける。障害物垂下枠は棒材をループ状に形成し、その一端に固定具形成の鉄パイプに嵌入し得る棒材からなる嵌入棒を適宜な長さを以て側面視で略Ｌ字形に接合し、又嵌入棒とは反対側のループ端には凹状部分を設ける。
【０００７】
固定具はＵ形ボルトを別置既存の支柱を抱えて固定具の山形鋼の貫通孔に通してナットで該支柱に締結固定する、次に防烏ネット係止枠はその突起を固定具の山形鋼端部の貫通孔に嵌め込み、ピン孔に割ピンを通して係止する、又障害物垂下枠はその嵌入棒を固定具の鉄パイプに嵌め込み、更に両端を鈎状にした枠吊棒を以て該障害物垂下枠からネット係止枠を吊り下げてゴミステーション防烏ネット係止具と成す。
然る後、ネット係止枠には防烏ネットを紐などで括り付けて垂らしてゴミ投入口を開いた防烏ネットによる囲いと成し、更に障害物係止枠には紐、或いは針金などを可動自在に括り付けて垂らし障害物としている。
【実施例】
【０００８】
以下図面によって実施例を説明する。まず図２に於いて、固定具２を形成する山形鋼２ａの一辺に中心部から振り分けでＵ形ボルト２ｃを通す貫通孔２ｄを、又その両端部に接合したリブ板に突起３ａ嵌入の貫通孔２ｅを穿ける、更にその穿孔辺とは異なる辺の中心部分に鉄パイプ２ｂを直角に接合して逆Ｔ字形に形成し、該固定具２はＵ形ボルト２ｃにて支柱６に締結固定する。ネット係止枠３は棒材を半ループで略Ｕ字形の二股状に形成、その二股部分が平行する内側に割ピン３ｂを通すピン孔を穿孔した丸棒材を接合して突起３ａと成し、該突起３ａは固定具２の山形鋼２ａ端部の貫通孔２ｅに嵌め込み、割ピン３ｂを通し可動自在に係止される、又ループ端には枠吊棒５の鈎部分との係止となる凸状部分を設ける。障害物垂下枠４は棒材をループ状に接合形成しその接合部分に嵌入棒４ａを側面視で概ね逆Ｌ字形に接合、半ループ端には凹状部分を設けて枠吊棒５の鈎部分との係止とする、該垂下枠４はその嵌入棒４ａを固定部２の鉄パイプ２ｂに嵌め込む。両端を鈎状とした枠吊棒５は障害物垂下枠４から吊り下げてネット係止枠３を支持する。次に図１はゴミステーション防烏ネット係止具としての組立設置状況を表し、ネット係止枠３に防烏ネット７を紐で括り付けて囲いと成し障害物垂下枠４から紐や針金などを垂らして障害物８としている。
【図面の簡単な説明】
【０００９】
【図１】ゴミステーション防烏ネット係止具の設置実施例を表す組立図。
【図２】ゴミステーション防烏ネット係止具の分解図。
【符号の説明】
【００１０】
１    ゴミステーション防烏ネット係止具
２    固定具
２ａ  山形鋼
２ｂ  鉄パイプ
２ｃ  Ｕ形ボルト
２ｄ、２ｅ  貫通孔
３    ネット係止枠
３ａ  突起
３ｂ  割ピン
４    障害物垂下枠
４ａ  嵌入棒
５    枠吊棒
６    支柱
７    防烏ネット
８    障害物
【図１】
0003140931.tif 000003
【図２】
0003140931.tif 000004